(57)【要約】ドリルの角度制御を行うための、台座（６）が取り付けられている昇降ガイド（５）が組み込まれたハンドドリルにおいては、ハンドドリルが、構造高さの低いコンパクトな構造を有しており、駆動モータ（２）が、アングル型ドリルにおけるように、ハンドドリルのグリップ内に設けられており、一般的なドリル長さのためのドリルチャックの最低地上高さが、手によって装置をスペース内の任意の位置の種々異なる表面に当てつけ可能な程度に寸法設計されており、この場合、グリップを押圧することによってドリルチャックが工作物に向かって移動せしめられるようになっていることによって、特に容易に、かつ良好に操作することができる。
2004519348.tif 000002
【特許請求の範囲】
【請求項１】
ドリルの角度制御を行うための昇降ガイド（５）が組み込まれたハンドドリルであって、昇降ガイド（５）に台座（６）が取り付けられている形式のものにおいて、
ハンドドリルが、構造高さの低いコンパクトな構造を有しており、駆動モータ（２）が、アングル型ドリルにおけるように、ハンドドリルのグリップ内に設けられており、一般的なドリル長さのためのドリルチャックの最低地上高さが、手によって装置をスペース内の任意の位置の種々異なる表面に当てつけ可能な程度に寸法設計されており、この場合、グリップを押圧することによってドリルチャックが工作物に向かって移動せしめられるようになっていることを特徴とする、垂直な穿孔及び垂直なねじ締めのための昇降ガイドを備えたハンドドリル。
【請求項２】
台座（６）を引っ込めた状態で係止させるための手段としてスライダ（３）を有しており、それによって構造高さが減少され、任意の長さのドリルを使用することができるようになっている、請求項１記載のハンドドリル。
【請求項３】
昇降ガイドが、装置を初期位置に戻し移動させるばねを有している、請求項２記載のハンドドリル。
【請求項４】
取り外し可能な蓄電池（１）を有している、請求項１から３までのいずれか１項記載のハンドドリル。
【請求項５】
電源網によって蓄電池（１）を充電するための接続部（１０）を有している、請求項１から４までのいずれか１項記載のハンドドリル。
【請求項６】
台座（６）が、角材及び丸材（８）を設置するための凹部（７）を有している、請求項１から５までのいずれか１項記載のハンドドリル。
【発明の詳細な説明】
【０００１】
従来の技術
ハンドドリルによって垂直な孔を穿孔できるようにするために、ハンドドリルは、しばしばドリルスタンド（Ｂｏｈｒｓｔａｅｎｄｅｒ）と組み合わせられる。これによって重量が重くなるだけでなく、構成しようとする装置構造も大きくなる。この装置構造は、もっぱら例えばテーブル上に定置に取り付けられる。一体的な解決策においても又はドリル角度制御チャックにおいても、ドリルの昇降ガイドを設けることによって装置は非常に大きくなる。また、ドリルチャックの最低地上高さが、使用されるドリルの長さを制限するという問題がある。提供された装置によって垂直なねじ締めを行うことは、熟練した職人だけができることであって、この場合、一方の手でグリップを握り、他方の手でねじを押さえる必要がある。マグネット式のビットを使用することによって、ねじは機械に固定される。
【０００２】
課題
請求項１に記載した本発明の課題は基本的に、大きい変動幅でドリルによって垂直な孔を穿孔することができるような蓄電池式ドリルを提供することである。また、不慣れな人のためにも、片手で垂直なねじ締めを行うことができるようにすることである。しかも、例えば戸棚（Ｓｃｈｒａｅｎｋｅ）等の近づきにくい領域でも穿孔又はねじ締めができるようにするために、コンパクトな構造で、できるだけ幅の広い使用範囲が保証されるようにすることである。
【０００３】
この課題は、請求項１に記載した特徴部によって解決される。
【０００４】
本発明の有利な実施例は、従属請求項に及び／又は以下に記載されている。
【０００５】
本発明は、特に、ドリルの角度制御を行うための昇降ガイドが組み込まれたハンドドリルであって、昇降ガイドに台座が取り付けられている形式のものに関する。この場合、ハンドドリルが、構造高さの低いコンパクトな構造を有しており、駆動モータが、アングル型ドリル（Ｗｉｎｋｅｌｂｏｈｒｍａｓｃｈｉｎｅ）におけるように、ハンドドリルのグリップ内に設けられており、一般的なドリル長さのためのドリルチャックの最低地上高さが、手によって装置をスペース内の任意の位置の種々異なる表面に当てつけ可能な程度に寸法設計されており、この場合、グリップ（握り）を押圧することによってドリルチャックが工作物に向かって移動せしめられるようになっている。
【０００６】
本発明によるハンドドリルは、台座を引っ込めた状態で係止させるための手段としてスライダを有しており、それによって構造高さが減少され、任意の長さのドリルを使用することができるようになっている。本発明の有利な実施例によれば、昇降ガイドが、装置を初期位置に戻し移動させるばねを有しており、しかも、本発明によるハンドドリルは、取り外し可能な蓄電池を有しており、この場合、適当な形式で、電源網によって蓄電池を充電するための接続部を有している。本発明の有利な実施例によれば、台座が、角材及び丸材を設置するための凹部を有している。
【０００７】
本発明によれば、まず台座を、スペース内の任意の位置を有する表面に又は工作物に当てつけ、次いで昇降ガイドを介してドリル若しくはねじを工作物内に導入して、完全に垂直な穿孔若しくはねじ締めが保証されるようになっている。昇降ガイドの寸法設計によって、一般的な種々異なるドリル長さを使用することができる。コンパクトな構造形式及び低い構造高さによって、戸棚等の近づきにくい領域内での作業が保証される。引っ込めた状態で台座を係止することによって、昇降ガイドに外部から力を作用させる際に、任意の長さのドリルを使用し、装置高さを低くすることによって、さらに狭い領域に近づくことができる。装置の形状は、片手作業を可能にする。この場合、ねじ締めのためにはマグネット式のビットが使用される。移動可能に用いるためには、装置に取り外し可能な蓄電池を装備すれば有利である。電源網のための接続部を設ければ、一方では蓄電池を装置で直接充電し、他方では蓄電池を充電しなくても電源網で作業することができる。本発明の有利な実施態様は特に請求項６に記載されている。請求項６の変化実施例によれば、角材及び丸材に垂直な孔を開けることができる。
【０００８】
実施例
本発明の実施例は図１〜図４を用いて説明されている。
【０００９】
図１は、ドリルを備えた蓄電池式穿孔装置の側面図、
図２は、ロックされた昇降ガイドを備えた装置を上から見た図、
図３は、台座が引っ込められた状態の、ドリルと蓄電池とを正面から示す図、
図４は、角材及び丸材の収容部を備えた台座を示す図、
台座６は、種々異なる平面、例えば非平坦な（平らでない）表面にも設置することができるようになっている。台座には、円筒形の２つの昇降ガイド５が直角に取り付けられており、これらの昇降ガイド５は、一般的なドリル９が取り付けられて、このドリル９が工作物内に十分に深く侵入できるように寸法設計されている。昇降ガイド５は、装置本体に受容される。走行ガイドの後ろにグリップが設けられている。このグリップ内にスイッチ及びモータが収容されているので、装置は冷却のための通気用スリットを有している。ガイドの前にはマイタ歯車が設けられており、このマイタ歯車はチャック４を駆動する。マイタ歯車上には蓄電池が取り付けられており、これによって主要な重量はドリル軸線上に位置することになる。図３に示した引っ込んだ状態で、昇降ガイド５はスライダ３に係止されており、このスライダ３は、２つのガイド間で装置の下側に位置している。これによって装置の構造高さは著しく減少される。しかも、種々異なる長さのドリルも使用することができる。台座６に形成された凹部７は、ドリル中心点の下側で丸材（Ｒｕｎｄｈｏｅｌｚｅｒ）をセンタリングする。
【図面の簡単な説明】
【図１】
ドリルを備えた蓄電池式穿孔装置の側面図である。
【図２】
ロックされた昇降ガイドを備えた装置を上から見た図である。
【図３】
引っ込んだ状態の台座を有する、ドリルと蓄電池とを正面から示す図である。
【図４】
角材及び丸材の収容部を備えた台座を示す図である。
【国際公開パンフレット】
2004519348.tif 000003
2004519348.tif 000004
2004519348.tif 000005
2004519348.tif 000006
2004519348.tif 000007
2004519348.tif 000008
2004519348.tif 000009
【国際公開パンフレット（コレクトバージョン）】
2004519348.tif 000010
2004519348.tif 000011
【国際調査報告】
2004519348.tif 000012
2004519348.tif 000013
2004519348.tif 000014
2004519348.tif 000015
2004519348.tif 000016
2004519348.tif 000017